(57)【要約】      （修正有）【課題】陳列されている商品を床等に載置することなく、陳列されている商品と補充する商品とを簡単かつ確実に先入れ先出しすることができる補充ツールを提供する。【解決手段】フック専用前出しツールは、棒状の柱状部１と、柱状部の一端から柱状部伸延方向に対して所定の角度を有して伸びるように形成された受容部３と、柱状部の他端に設けられたハンドル４とから構成され、前記受容部の先端部にはフックバーの先端部を挿脱自在に受容する受容穴２が設けられる。【選択図】図１
0003224249.tif 000002
【実用新案登録請求の範囲】
【請求項１】
棒状の柱状部と、
柱状部の一端から柱状部延伸方向に対して所定の角度を有して伸びるように形成された受容部と、
柱状部の他端に設けられたハンドルとから構成され、
前記受容部の先端部にはフックバーの先端部を挿脱自在に受容する受容穴が設けられている、商品補充ツール。
【請求項２】
受容部の受容穴は、フックバーを回転自在に受容する、請求項１に記載の商品補充ツール。
【請求項３】
柱状部と受容部が成す角はフックバー柱状部とフックバー先端部が成す角と同一またはそれより小さな角度である、請求項１または２に記載の商品補充ツール。
【請求項４】
柱状部と受容部の遷移部の外周側が丸みを帯びている、請求項１、２または３に記載の商品先入れ先出し補充ツール。
【請求項５】
柱状部と受容部の遷移部の内周側が丸みを帯びている、請求項１〜４のいずれか一項に記載の商品先入れ先出し補充ツール。
【考案の詳細な説明】
【背景技術】
【０００１】
本考案は、小売商店等においてフックバーに吊り下げられた状態で陳列された商品（以下、「吊り下げ商品」という）を床等に載置することなく、陳列中の商品を前出しして新しい商品を奥へ補充するための補充ツールに関するものである。
【０００２】
近年、小売商店等では、フックバーに吊り下げられた状態で商品を陳列して販売する手法が多用されている。このような販売方法では、商品は手前から消費者等により取り外されていくため、商品の数が少なくなると、フックバー後方に残された商品は上下左右に吊るされた他の商品の陰に隠れてしまい、購買機会を喪失する。商品は通常消費期限が近いものから販売するために、売れ残っている商品を前出しすることで、廃棄処分品の数を減らしていくのだが、同時に新しい商品を補充する必要がある。そのため、多くの小売商店等ではフックバー後方に残された古い商品を従業員が手作業でフックバーから一旦外し、新しい商品を補充した後にフックバーから外した商品を元のフックバーに戻す、先入れ先出し作業と呼ばれる作業を行っている。しかしながら、その作業は陳列されている商品を一旦フックバーから取り出して床等に載置する必要があるため、商品を傷つけるおそれがあるばかりか、煩雑で時間が掛かるという欠点があった。また陳列棚によっては、上下左右に吊るされた他の商品と近接していることも多く、意図せず他の商品を床に落としてしまい、その修正作業を強いられているのが実情である。
【考案の概要】
【０００３】
そこで本考案の目的は、陳列されている商品を床等に載置することなく、陳列されている商品と補充する商品とを簡単かつ確実に先入れ先出しすることができる補充ツールを提供することにある。
【課題を解決するための手段】
【０００４】
本考案は上記課題を解決するために考案されたものであり、本考案による商品補充ツールは、棒状の柱状部と、柱状部の一端から柱状部伸延方向に対して所定の角度を有して伸びるように形成された受容部と、柱状部の他端に設けられたハンドルとから構成され、前記受容部の先端部にはフックバー先端部を挿脱自在に受容する受容穴が設けられる。
【０００５】
受容部の受容穴は、フックバー先端部を回転自在に受容するように形成するのが好ましい。また、柱状部と受容部が成す角は、フックバー柱状部とフックバー先端部が成す角と同一またはそれより小さな角度であってもよい。さらに、柱状部と受容部の遷移部の外周側が丸みを帯びていてもよく、また、柱状部と受容部の遷移部の内周側が丸みを帯びていてもよい。
【０００６】
本考案による商品補充ツールは次のように用いられる。補充ツールの受容部が下方を向くように補充ツールを保持し、補充ツールの受容部先端に設けられた受容穴に、商品が陳列されているフックバー先端部を受容させる。次いで、そのフックバー柱状部に陳列されている商品を補充ツールの受容部を介して柱状部へと移動させる。そして、フックバーから移動させた商品を柱状部に吊り下げたまま、補充ツールをフックバーから取り外し、補充ツールの受容部を別のフックバー先端部に受容させる。そして、陳列されていた商品が抜かれたフックバーに新しい商品を補充する。最後に、陳列されていた商品を柱状部に吊り下げたまま別のフックバーに置かれた補充ツールをそのフックバーから取り外し、補充ツールの受容穴を新しい商品を補充したフックバー先端部に受容させた後、補充ツールのハンドルを１８０度回転させることにより、補充ツールの柱状部に吊り下げられている商品を上記フックバー柱状部に重力により半自動的に移動させる。
【０００７】
上述の説明において、補充する新しい商品は、陳列されていた商品を抜き取ったフックバーに直接補充するように説明したが、陳列されていた商品を保持した補充ツールの柱状部に新しい商品を入れた後、補充ツールの受容穴を元のフックバー先端部に受容させ、補充ツールのハンドルを１８０度回転させることにより、補充ツールの柱状部に吊り下げられている陳列されていた商品と補充する商品とを同時に重力によりフックバー柱状部に半自動的に移動させることができることにも注目されたい。
【考案の効果】
【０００８】
本考案に係る補充ツールを使用することで、陳列されていた商品を床等に載置させる必要がなくなり、商品を安全に入れ替えできる。本考案の補充ツールの取り扱いに特別な技能は必要なく、また、従来技術におけるような商品の先入れ先出し作業のためのツールを予めフックバーに設置する必要もないのでコストを抑えることができる。
【図面の簡単な説明】
【０００９】
【図１】本考案の実施例による商品補充ツールを側面からみた全体図である。
【図２】図４（ｂ）のＡ−Ａ方向からみた本考案の商品補充ツールの受容部とフックバー先端部を示す図である。
【図３】図１に示す商品補充ツールの遷移部を拡大した図である。
【図４（ａ）】本考案の商品補充ツールの使用方法を説明するための図である。
【図４（ｂ）】本考案の商品補充ツールの使用方法を説明するための図である。
【図４（ｃ）】本考案の商品補充ツールの使用方法を説明するための図である。
【図４（ｄ）】本考案の商品補充ツールの使用方法を説明するための図である。
【図４（ｅ）】本考案の商品補充ツールの使用方法を説明するための図である。
【図４（ｆ）】本考案の商品補充ツールの使用方法を説明するための図である。
【図５】本考案の商品補充ツールによる商品補充の態様を示した図である。
【考案を実施するための形態】
【００１０】
図面を参照して、本考案の一実施形態における商品補充ツールについて説明する。
本説明において、「フックバー」は、商品陳列棚において商品を吊り下げ、手前から後方にかけて一列に陳列するためのものであれば、その形状及び大きさを問わない。
【００１１】
図１に示されているように、本考案の実施例による商品補充ツールは、棒状の柱状部１と、柱状部１の一端に設けられ、フックバー先端部Ｆ１（図２、図４ａ〜４ｆ参照）を挿脱自在に受容する受容穴２を有し、かつ、柱状部１の伸延方向に対して所定の角度に曲がる受容部３と、柱状部１の他端に設けられたハンドル４とから構成されている。柱状部１及び受容部３は本考案の目的を達するに足る剛性を備えた金属やプラスチック等を素材として用いることができる。ハンドル４は手に持って操作しやすい素材及び寸法形状であることが望ましい。
【００１２】
本考案の実施例による商品補充ツールは、図２に示されているように、フックバー先端部Ｆ１を回転自在に受容する受容穴２を有している。また、補充ツールの柱状部１と受容部３が成す角αはフックバー柱状部Ｆ２とフックバー先端部Ｆ１が成す角βと同一またはそれより小さな角度である。このような構成を取ることで、商品をフックバー柱状部Ｆ２から補充ツールの柱状部１に移動させるに際し、補充ツールの受容部３が下方を向いた位置関係で、補充ツールの受容部先端の受容穴２にフックバー先端部Ｆ１を受容させることで、補充ツールの柱状部１がフックバーＦ２に対して平行または下向きになる。また商品を補充ツールの柱状部１からフックバー柱状部２に補充するに際しても、補充ツールの受容部３が下方を向いた位置関係で、補充ツールの受容部先端の受容穴２にフックバー先端部Ｆ１を受容させることで、補充ツールの柱状部１がフックバー柱状部Ｆ２に対して平行または下向きになる。また補充ツールの受容部先端の受容穴２の内径が受容するフックバー先端部Ｆ１の外径よりも大きいため、補充ツールの受容部先端の受容穴２はフックバー先端部Ｆ１を回転自在に受容する。
【００１３】
また図３に示されているように、補充ツールの柱状部１と補充ツールの受容部２の遷移部外周側５１及び／又は補充ツールの柱状部１と補充ツールの受容部２の遷移部内周側５２が丸みを帯びていることにより、商品をフックバー柱状部Ｆ２から補充ツールの柱状部１に移動させるに際し、補充ツールの遷移部外周側５１が商品を滑止することなく、商品をフックバー柱状部Ｆ２から補充ツールの柱状部１にスムーズに移動させることができる。また商品を補充ツールの柱状部１からフックバー柱状部２に補充するに際しても、補充ツールの遷移部内周側５２が商品を滑止することなく、商品を補充ツールの柱状部１からフックバー柱状部Ｆ２に移動させることができる。
【００１４】
次いで、本考案の商品補充ツールの使用方法について説明する。
【００１５】
図４（ａ）及び（ｂ）に示すように、従業員は受容部が下方を向いた位置関係で、本考案に係る補充ツールの受容穴２にフックバー先端部Ｆ１を挿入し、補充ツールの柱状部１とフックバー柱状部Ｆ２が平行になるように、補充ツールを配置する。次いで、図４（ｃ）に示すように、従業員は両手を用いてフックバー柱状部Ｆ２の後方に残されていた陳列商品を補充ツールの柱状部１に移す。そして、図４（ｄ）に示すように、従業員は、移動された商品を補充ツールの柱状部１に吊り下げたまま、補充ツールの受容部３をフックバー先端部Ｆ１から取り外し、補充ツールの受容穴２に別のフックバーＦのフックバー先端部Ｆ１を挿入し、補充ツールを一時的に固定する。その後、従業員は商品が抜かれたフックバー柱状部Ｆ２に両手を用いて新しい商品を補充する。
【００１６】
そして、図４（ｅ）に示すように、従業員は、陳列されていた商品がその柱状部に吊り下げられたままの補充ツールの受容部３を別のフックバー先端部Ｆ１から取り外し、補充ツールの柱状部１とフックバー柱状部Ｆ２が平行になるような位置関係を保持して補充ツールの受容穴２に新しい商品が補充されたフックバーＦのフックバー先端部Ｆ１を挿入し、最後に、図４（ｆ）に示すように、従業員がハンドル４を半回転させることで、フックバー柱状部Ｆ２に対して補充ツールの柱状部１が大きく傾斜することになり、補充ツールの柱状部１に吊り下げられている商品が自重により、補充ツールの受容部２とフックバー先端部Ｆ１を通って、フックバー柱状部Ｆ２に半自動的に滑り落ちることで商品の先入れ先出し作業を完遂する。
【００１７】
従業員は新しい商品を補充するに際しても、本考案による補充ツールを用いることができる。従業員は、図５に示すように、陳列していた商品を柱状部１に移動させた後、補充ツールの受容部３が上端になるように、そして補充ツールのハンドル４が下端になるように保持し、新しい商品の吊り下げ孔を補充ツールの受容部３を通すことにより、フックバーに戻した時、新しい商品が陳列中の商品の奥側に位置することになる。
【００１８】
また、従業員は補充ツールのハンドル４や補充ツールのハンドル４を握った自己の手と補充ツールの柱状部１に吊り下げられる新しい商品が不用意に接触して商品を毀損することがないよう、補充ツールの柱状部１に弾性体からなるストッパーを取り付けても良い。これらの行為により、従業員はより確実に新しい商品を補充できる。
【符号の説明】
【００１９】
１        柱状部
２        受容穴
３        受容部
４        ハンドル
５        遷移部
５１      遷移部外周側
５２      遷移部内周側
Ｆ        フックバー
Ｆ１      フックバー先端部
Ｆ２      フックバー柱状部
Ｓ        商品
【図１】
0003224249.tif 000003
【図２】
0003224249.tif 000004
【図３】
0003224249.tif 000005
【図４（ａ）】
0003224249.tif 000006
【図４（ｂ）】
0003224249.tif 000007
【図４（ｃ）】
0003224249.tif 000008
【図４（ｄ）】
0003224249.tif 000009
【図４（ｅ）】
0003224249.tif 000010
【図４（ｆ）】
0003224249.tif 000011
【図５】
0003224249.tif 000012